(57)【要約】【課題】立体視用の画像を表示する際にクロストークが生じないようにする。【解決手段】液晶パネル１００ＷＢを透過した光は、液晶パネル１００Ｒ，１００Ｇ，１００Ｂに到達する。液晶パネル１００Ｒ，１００Ｇ，１００Ｂにおいては、１行目の画素から線順次方式で左眼用映像と右眼用映像の書き込みが交互に行われる。液晶パネル１００ＷＢにおいては、液晶パネル１００Ｒ，１００Ｇ，１００Ｂの上半分の行の走査が終了した時点から最下行の走査が完了するまでは、上半分の画素を透過状態とし、下半分を非透過状態とする。また、液晶パネル１００ＷＢにおいては、液晶パネル１００Ｒ，１００Ｇ，１００Ｂの下半分の行の走査が終了した時点から次の下半分の走査が開始されるまでは、下半分の画素を透過状態とし、上半分を非透過状態とする。【選択図】図３
2015038559.tif 000002
【特許請求の範囲】
【請求項１】
入射した光を変調する第１変調部と、入射した光を変調する第２変調部とを有し、前記第１変調部で変調された光を前記第２変調部で変調して出射する又は前記第２変調部で変調された光を前記第１変調部で変調して出射する装置を駆動する駆動回路であって、
交互に切り替わる第１フィールドと第２フィールドのうち、前記第１フィールドで右眼用映像と左眼用映像の一方の映像を前記第１変調部を線順次で駆動して形成し、前記第２フィールドで他方の映像を前記第１変調部を線順次で駆動して形成し、
前記第１フィールドの後半と前記第２フィールドの前半において、前記他方の映像が出射されないように前記第２変調部を駆動し、前記第２フィールドの後半と前記第１フィールドの前半において、前記一方の映像が出射されないように前記第２変調部を駆動する
ことを特徴とする駆動回路。
【請求項２】
前記第１フィールドの前半と前記第２フィールドの前半にあっては、
前記第１変調部において当該前半で駆動されていない部分で形成された映像が出射され、前記第１変調部において当該前半で駆動された部分で形成された映像が出射されないように前記第２変調部を駆動し、
前記第１フィールドの後半と前記第２フィールドの後半にあっては、
前記第１変調部において当該後半で駆動されていない部分で形成された映像が出射され、前記第１変調部において当該後半で駆動された部分で形成された映像が出射されないように前記第２変調部を駆動する
請求項１に記載の駆動回路。
【請求項３】
前記第１フィールドの前半と前記第２フィールドの前半にあっては、前記第２変調部から光が出射されなくなるように前記第２変調部を前記第１変調部の倍の速度で駆動し、
前記第１フィールドの後半と前記第２フィールドの後半にあっては、前記第２変調部から光が出射されるように前記第２変調部を前記第１変調部の倍の速度で駆動する
請求項１に記載の駆動回路。
【請求項４】
前記第１フィールドの後半にあっては、前記一方の映像に応じて前記第２変調部を前記第１変調部の倍の速度で駆動し、前記第２フィールドの後半にあっては、前記他方の映像に応じて前記第２変調部を前記第１変調部の倍の速度で駆動する
請求項３に記載の駆動回路。
【請求項５】
入射した光を変調する第１変調部と、入射した光を変調する第２変調部とを有し、前記第１変調部で変調された光を前記第２変調部で変調して出射する又は前記第２変調部で変調された光を前記第１変調部で変調して出射する装置であって、
交互に切り替わる第１フィールドと第２フィールドのうち、前記第１フィールドで右眼用映像と左眼用映像の一方の映像を前記第１変調部を線順次で駆動して形成し、前記第２フィールドで他方の映像を前記第１変調部を線順次で駆動して形成し、
前記第１フィールドの後半と前記第２フィールドの前半において、前記他方の映像が出射されないように前記第２変調部を駆動し、前記第２フィールドの後半と前記第１フィールドの前半において、前記一方の映像が出射されないように前記第２変調部を駆動する
ことを特徴とする表示装置。
【請求項６】
請求項５に記載の表示装置を有する電子機器。
【請求項７】
入射した光を変調する第１変調部と、入射した光を変調する第２変調部とを有し、前記第１変調部で変調された光を前記第２変調部で変調して出射する又は前記第２変調部で変調された光を前記第１変調部で変調して出射する装置を駆動する駆動方法であって、
交互に切り替わる第１フィールドと第２フィールドのうち、前記第１フィールドで右眼用映像と左眼用映像の一方の映像を前記第１変調部を線順次で駆動して形成し、前記第２フィールドで他方の映像を前記第１変調部を線順次で駆動して形成し、
前記第１フィールドの後半と前記第２フィールドの前半において、前記他方の映像が出射されないように前記第２変調部を駆動し、前記第２フィールドの後半と前記第１フィールドの前半において、前記一方の映像が出射されないように前記第２変調部を駆動する
ことを特徴とする駆動方法。
【発明の詳細な説明】
【技術分野】
【０００１】
本発明は、観察者が立体感を知覚するように右眼用画像と左眼用画像とを表示する技術に関する。
【背景技術】
【０００２】
特許文献１には、液晶パネルを有し、フレームシーケンシャル方式で３Ｄ表示を行うシステムが開示されている。この液晶パネルにおいては、画面の上側から下側へ線順次走査が行われ、右眼用映像と左眼用映像とが交互に書き込まれる。また、このシステムの観賞用眼鏡においては、右眼側と左眼側のうち、書き込まれた画像に対応した側のシャッターは、画面中央の液晶の応答が完了してから最下部の液晶の応答が完了するまでの間に解放される。また、このシステムに係る表示装置は、表示領域の上半分の領域に光を照射するための光源と、上半分の領域に光を照射するための光源とを備えたバックライトを有している。この表示装置は、表示領域の上半分の液晶の応答が完了した時点から所定期間は、上半分の領域に光を照射する光源をオンとする一方、液晶の応答が完了していない下半分の領域に光を照射する光源をオフとする。表示装置は、表示領域の最下部の液晶の応答が完了する直前から所定期間は、上半分の領域に光を照射する光源をオフとする一方、液晶の応答が完了した下半分の領域に光を照射する光源をオンとする。シャッターの解放期間の前半においては、下半分の画像の書き換えが終了していないが、この期間においては、表示領域の下半分のバックライトがオフとなっているため、下半分の画像が視認されることがない。また、シャッターの解放期間の後半においては、表示領域の上部から次の画像の書き換えが始まっているが、この期間においては、表示領域の上半分のバックライトがオフとなっているため、上半分の画像が視認されることがない。
【先行技術文献】
【特許文献】
【０００３】
【特許文献１】特開２０１１−１２８５４８号公報
【発明の概要】
【発明が解決しようとする課題】
【０００４】
ところで、特許文献１に開示されている表示装置においては、一つの導光板の上側に表示領域の上半分の領域に光を照射するための光源を配置し、この導光板の下側に表示領域の下半分の領域に光を照射するための光源を配置している。ここで、導光板は一つであるため、例えば、上側の光源を点灯させた場合に、上半分だけでなく中央より下側にも光が到達し、中央より下側の画像が見える虞があり、また、下側の光源を点灯させた場合には、下半分だけでなく中央より上側にも光が到達し、中央より上側の画像が見える虞がある。
【０００５】
本発明は、上述した事情に鑑みてなされたものであり、その目的の一つは、立体視用の画像を表示する際にクロストークが生じないようにすることにある。
【課題を解決するための手段】
【０００６】
上記目的を達成するため、本発明に係る駆動回路は、入射した光を変調する第１変調部と、入射した光を変調する第２変調部とを有し、前記第１変調部で変調された光を前記第２変調部で変調して出射する又は前記第２変調部で変調された光を前記第１変調部で変調して出射する装置を駆動する駆動回路であって、交互に切り替わる第１フィールドと第２フィールドのうち、前記第１フィールドで右眼用映像と左眼用映像の一方の映像を前記第１変調部を線順次で駆動して形成し、前記第２フィールドで他方の映像を前記第１変調部を線順次で駆動して形成し、前記第１フィールドの後半と前記第２フィールドの前半において、前記他方の映像が出射されないように前記第２変調部を駆動し、前記第２フィールドの後半と前記第１フィールドの前半において、前記一方の映像が出射されないように前記第２変調部を駆動する。
この構成によれば、立体視用の右眼用画像と左眼用画像を表示する際にクロストークが生じないようにすることができる。
【０００７】
前記駆動回路においては、前記第１フィールドの前半と前記第２フィールドの前半にあっては、前記第１変調部において当該前半で駆動されていない部分で形成された映像が出射され、前記第１変調部において当該前半で駆動された部分で形成された映像が出射されないように前記第２変調部を駆動し、前記第１フィールドの後半と前記第２フィールドの後半にあっては、前記第１変調部において当該後半で駆動されていない部分で形成された映像が出射され、前記第１変調部において当該後半で駆動された部分で形成された映像が出射されないように前記第２変調部を駆動する構成としてもよい。
この構成によれば、第１フィールドの前半で形成された映像が第１フィールドの後半で出射され、第１フィールドの後半で形成された映像が第２フィールドの前半で出射され、第２フィールドの前半で形成された映像が第２フィールドの後半で出射され、第２フィールドの後半で形成された映像が次の第１フィールドの前半で出射される。第１フィールドの後半と第２フィールドの前半においては、一方の映像のみが出射されて他方の映像が出射されず、第２フィールドの後半と次の第１フィールドの前半においては、他方の映像のみが出射されて一方の映像が出射されないため、クロストークが生じない。
【０００８】
前記駆動回路においては、前記第１フィールドの前半と前記第２フィールドの前半にあっては、前記第２変調部から光が出射されなくなるように前記第２変調部を前記第１変調部の倍の速度で駆動し、前記第１フィールドの後半と前記第２フィールドの後半にあっては、前記第２変調部から光が出射されるように前記第２変調部を前記第１変調部の倍の速度で駆動する構成としてもよい。
この構成によれば、第１フィールドの後半開始から第２フィールドの前半終了までの間には一方の映像のみが出射され、第２フィールドの後半開始から次の第１フィールドの前半終了までの間には他方の映像のみが出射されるため、クロストークが生じない。
【０００９】
前記駆動回路においては、前記第１フィールドの後半にあっては、前記一方の映像に応じて前記第２変調部を前記第１変調部の倍の速度で駆動し、前記第２フィールドの後半にあっては、前記他方の映像に応じて前記第２変調部を前記第１変調部の倍の速度で駆動する構成としてもよい。
この構成によれば、第２変調部も映像の階調に寄与するため、高いコントラストを得ることができる。
【００１０】
また上記目的を達成するために本発明に係る表示装置は、入射した光を変調する第１変調部と、入射した光を変調する第２変調部とを有し、前記第１変調部で変調された光を前記第２変調部で変調して出射する又は前記第２変調部で変調された光を前記第１変調部で変調して出射する装置であって、交互に切り替わる第１フィールドと第２フィールドのうち、前記第１フィールドで右眼用映像と左眼用映像の一方の映像を前記第１変調部を線順次で駆動して形成し、前記第２フィールドで他方の映像を前記第１変調部を線順次で駆動して形成し、前記第１フィールドの後半と前記第２フィールドの前半において、前記他方の映像が出射されないように前記第２変調部を駆動し、前記第２フィールドの後半と前記第１フィールドの前半において、前記一方の映像が出射されないように前記第２変調部を駆動する。
この構成によれば、立体視用の右眼用画像と左眼用画像を表示する際にクロストークが生じないようにすることができる。
【００１１】
なお、本発明は、駆動回路のほか、駆動方法や、当該表示装置を有する電子機器としても適用することが可能である。
【図面の簡単な説明】
【００１２】
【図１】表示システム１を構成する装置を示した図。
【図２】表示装置１０の構成をハードウェア構成を示したブロック図。
【図３】投射部１７の構成を示した図。
【図４】液晶パネル１００の構成を示した図。
【図５】画素１１０の等価回路を示した図。
【図６】液晶パネル１００ＷＢを制御する構成を示したブロック図。
【図７】第１実施形態の動作を説明するための図。
【図８】第２実施形態に係る投射部１７の構成を示した図。
【図９】第２実施形態の動作を説明するための図。
【図１０】変形例に係る投射部１７の構成を示した図。
【図１１】変形例に係る投射部１７の構成を示した図。
【発明を実施するための形態】
【００１３】
［第１実施形態］
図１は、本発明の実施形態に係る表示システム１を構成する装置を示した図である。表示システム１は、表示装置１０と眼鏡２０を有する。表示装置１０は、入力された映像信号が表す映像をスクリーンＳＣに投射する電子機器の一例である。表示装置１０は、立体映像を視聴するための映像をスクリーンＳＣに投射する。本実施形態においては、立体映像を視聴するための方式としてフレームシーケンシャル方式が採用されている。このため、表示装置１０は、右眼用の映像（以下、「右眼用映像」という）と左眼用の映像（以下、「左眼用映像」という）を、時分割で交互にスクリーンＳＣに投射する。
【００１４】
スクリーンＳＣは、布地の表面に白の塗料が塗布されたものであり、表示装置１０が投射した映像を映す。眼鏡２０は、スクリーンＳＣに投射された右眼用映像を視聴者の右眼に到達させ、スクリーンＳＣに投射された左眼用映像を視聴者の左眼に到達させるための電子機器であり、２つの液晶シャッターを有している。視聴者が眼鏡２０を装着すると、一方の液晶シャッターが右眼の前方に位置し、他方の液晶シャッターが左眼の前方に位置する。
【００１５】
（表示装置１０の構成）
図２は、表示装置１０のハードウェア構成を示した図である。図２に示したように、表示装置１０の各部はバス１１により接続されている。制御部１２は、ＣＰＵ（Central Processing Unit）１２Ａ、ＲＯＭ（Read Only Memory）１２Ｂ及びＲＡＭ（Random Access Memory）１２Ｃを備えている。ＣＰＵ１２Ａが、ＲＯＭ１２Ｂに記憶されているプログラムを実行すると、外部装置から入力された映像信号が表す映像をスクリーンＳＣに投射する機能や、赤外線を用いて眼鏡２０へ信号を送信する機能などが実現する。操作部１４は、表示装置１０を操作するための複数のボタンを備えている。制御部１２は、操作されたボタンを検知し、操作されたボタンに応じて各部を制御する。操作されたボタンに応じて制御部１２が各部を制御することにより、スクリーンＳＣに投射する映像の画質調整などを行うことができる。記憶部１３は、不揮発性メモリーを有しており、調整した画質のパラメーターなどを記憶する。
【００１６】
映像取得部１６は、映像信号を外部装置から取得する。この映像信号は、垂直同期信号、水平同期信号及びドットクロック信号を含む同期信号Ｓｙｎｃを含んでいる。映像取得部１６は、映像信号を記憶するメモリーを有しており、映像信号を投射部１７へ供給する。映像取得部１６は、映像信号が立体映像を視聴するための映像信号である場合、右眼用映像の映像信号と左眼用映像の映像信号を交互に投射部１７へ供給する。なお、映像取得部１６は、右眼用の映像信号を供給する際には、取得した映像信号から右眼用の赤色の映像を表す映像信号、右眼用の緑色の映像を表す映像信号及び右眼用の青色の映像を表す映像信号を生成し、各色の映像信号を投射部１７へ供給する。また、映像取得部１６は、左眼用の映像信号を供給する際には、取得した映像信号から左眼用の赤色の映像を表す映像信号、左眼用の緑色の映像を表す映像信号及び左眼用の青色の映像を表す映像信号を生成し、各色の映像信号を投射部１７へ供給する。また、映像取得部１６は、投射部１７へ供給した映像が右眼用映像と左眼用映像のいずれであるかを判別し、判別結果を示すデータ（以下、「判別結果データ」と称する）と、映像信号に含まれる垂直同期信号を通信部１５へ供給する。
【００１７】
通信部１５は、赤外線を発するＬＥＤ（Light Emitting Diode）を備えている。ＬＥＤは、垂直同期信号と判別結果データとに基いて点灯と消灯のタイミングが制御され、眼鏡２０の液晶シャッターの開閉を制御するための信号を送信する。眼鏡２０は、この信号に応じて液晶シャッターの開閉を制御し、右眼用映像がスクリーンＳＣに投射されているタイミングにおいては、右眼用の液晶シャッターを開にする一方、左眼用の液晶シャッターを閉とし、左眼用映像がスクリーンＳＣに投射されているタイミングにおいては、左眼用の液晶シャッターを開にする一方、右眼用の液晶シャッターを閉とする。
【００１８】
図３は、投射部１７の構成を示した図である。投射部１７は、光源１２０１、ダイクロイックミラー１２０２、１２０３、ミラー１２０４〜１２０６、ダイクロイックプリズム１２０７、投射レンズ１２０８、液晶パネル１００Ｒ，１００Ｇ，１００Ｂ，１００ＷＢを有する。
【００１９】
光源１２０１は、光を発するランプを備えている。ランプの一例としては、メタルハライドランプ、ハロゲンランプ又はキセノンランプなどがある。液晶パネル１００ＷＢ（第２変調部）は、入射した光を変調する透過型の液晶パネルであり、後述する回路によって透過率が制御される。光源１２０１から出射されて液晶パネル１００ＷＢを透過した光は、ダイクロイックミラー１２０２に入射する。ダイクロイックミラー１２０２は、赤色波長帯域の光を透過し、緑色波長帯域及び青色波長帯域の光を反射する鏡である。ダイクロイックミラー１２０２を透過した光は、ミラー１２０４で反射されて液晶パネル１００Ｒに入射する。ダイクロイックミラー１２０３は、ダイクロイックミラー１２０２で反射された光のうち、緑色波長帯域の光を反射し、青色波長帯域の光を透過する鏡である。ダイクロイックミラー１２０３で反射した光は、液晶パネル１００Ｇに入射する。ミラー１２０５とミラー１２０６は、ダイクロイックミラー１２０３を透過した光を反射する鏡である。ミラー１２０５とミラー１２０６で反射した光は、液晶パネル１００Ｂに入射する。
【００２０】
液晶パネル１００Ｒ、液晶パネル１００Ｇ及び液晶パネル１００Ｂは、入射した光を変調する透過型の液晶パネル（第１変調部）であり、複数行複数列に配置された画素を備えている。液晶パネル１００Ｒは、赤色の映像を表す映像信号に応じて各画素が制御され、各画素の透過率が変化する。なお、液晶パネル１００Ｒに入射する光は、赤色波長帯域の光であるため、液晶パネル１００Ｒを透過した光は、赤の映像となる。液晶パネル１００Ｂは、青色の映像を表す映像信号に応じて各画素が制御され、各画素の透過率が変化する。液晶パネル１００Ｂに入射する光は、青色波長帯域の光であるため、液晶パネル１００Ｂを透過した光は、青の映像となる。液晶パネル１００Ｇは、緑色の映像を表す映像信号に応じて各画素が制御され、各画素の透過率が変化する。液晶パネル１００Ｇに入射する光は、緑色波長帯域の光であるため、液晶パネル１００Ｇを透過した光は、緑の映像となる。なお、液晶パネル１００Ｒ、液晶パネル１００Ｇ及び液晶パネル１００Ｂは、入射する光の波長と、駆動するための映像信号が異なるものの、他の構成は同じであるため、以下、各々を区別する必要のない場合は、液晶パネル１００と称する。
【００２１】
ダイクロイックプリズム１２０７は、入射した緑色波長帯域の光を直進させ、入射した赤色波長帯域と青色波長帯域の光を反射して赤色波長帯域と青色波長帯域の光の進行方向を変更するプリズムである。ダイクロイックプリズム１２０７に入射した緑の映像の光は直進して投射レンズ１２０８に入射する。また、ダイクロイックプリズム１２０７に入射して進行方向が変更された赤と青の映像の光も、投射レンズ１２０８に入射する。投射レンズ１２０８は、入射した光が表す映像を拡大してスクリーンに投射するレンズである。ダイクロイックプリズム１２０７から入射した光が投射レンズ１２０８を通過すると、右眼用映像と左眼用映像とが交互にスクリーンに投射される。
【００２２】
図４は、液晶パネル１００の構成を示した図である。液晶パネル１００には、ｍ行の走査線１１２が設けられ、また、ｎ列のデータ線１１４が各走査線１１２と互いに電気的に絶縁を保つように設けられている。そして、ｍ行の走査線１１２とｎ列のデータ線１１４との交点のそれぞれに対応して、画素１１０がそれぞれ配列されている。したがって、本実施形態では、画素１１０が縦ｍ行×横ｎ列でマトリクス状に配列されていることになる。本実施形態においては、このように画素１１０の配列する領域が表示領域１０１となる。
【００２３】
表示領域１０１の周辺には、走査線駆動回路１３０とデータ線駆動回路１４０とがそれぞれ設けられている。走査線駆動回路１３０は、１〜ｍ行の走査線１１２にそれぞれ走査信号を供給するものである。本実施形態において走査線駆動回路１３０は、制御信号Ｙｃｔｒによって走査線１１２を１、２、３、…、ｍ行目という順番で選択するとともに、選択した走査線への走査信号を選択電圧とする一方、それ以外の、非選択に係る走査線への走査信号を非選択電圧とする。なお、１、２、３、…、ｍ行目の走査線１１２に供給される走査信号をそれぞれＧ１、Ｇ２、Ｇ３、…、Ｇｍと表記している。データ線駆動回路１４０は、供給されるデータ信号Ｖｘに基づいて、いわゆる電圧変調方式で画素１１０を駆動するものである。データ線駆動回路１４０は、駆動制御回路２００から供給される制御信号Ｘｃｔｒに従ってデータ信号Ｖｘをサンプリングし、１〜ｎ列目のデータ線１１４に、サンプリングで得られた電圧のデータ信号を供給する。なお、１、２、３、…、ｎ列目のデータ線１１４に供給されるデータ信号を、それぞれｄ１、ｄ２、ｄ３、…、ｄｎと表記している。
【００２４】
図５は、液晶パネル１００における画素１１０の等価回路の一例を示した図である。この図に示されるように、画素１１０は、画素電極１１８とコモン電極１０８とで液晶１０５を挟持した液晶素子１２０と、走査線１１２に選択電圧が印加されたときにデータ線１１４と画素電極１１８との間で導通状態となり、非選択電圧が印加されたときに非導通状態となる薄膜トランジスター（Thin Film Transistor：以下単に「ＴＦＴ」と表記する）１１６とを有する構成である。なお、コモン電極１０８は各画素にわたって共通であり、図示を省略した回路によって電圧ＬＣｃｏｍが印加される。また、画素１１０では、液晶素子１２０に対して並列に補助容量（蓄積容量）１２５が設けられる。この補助容量１２５は、一端が画素電極１１８に接続され、他端が容量線１１５に共通接続されている。容量線１１５は時間的に一定の電圧に保たれている。このような構成において、画素１１０では、走査線１１２に選択電圧が印加されたときにＴＦＴ１１６が導通状態になって、データ線１１４に供給されたデータ信号の電圧が画素電極１１８に印加される。一方、走査線１１２への選択電圧の印加が終了して非選択電圧が印加されたときにＴＦＴ１１６が非導通状態になるが、液晶素子１２０は、ＴＦＴ１１６の導通状態であったときに画素電極１１８に印加されたデータ信号の電圧を、その容量性によって走査線１１２に選択電圧が再び印加されるまで保持する。液晶１０５の分子配向状態は、液晶素子１２０に印加された電圧に応じて変化する。
【００２５】
図４に戻り、駆動制御回路２００は、映像取得部１６から供給される映像信号に応じて走査線駆動回路１３０およびデータ線駆動回路１４０を制御して液晶パネル１００を駆動する駆動回路である。駆動制御回路２００は、液晶パネル１００Ｒ，１００Ｇ，１００Ｂの各々に設けられている。液晶パネル１００Ｒに対応した駆動制御回路２００に供給される映像信号は、赤色の映像を表す映像信号であり、液晶パネル１００Ｇに対応した駆動制御回路２００に供給される映像信号は、緑色の映像を表す映像信号であり、液晶パネル１００Ｂに対応した駆動制御回路２００に供給される映像信号は、青色の映像を表す映像信号である。
駆動制御回路２００に供給される映像信号は、同期信号Ｓｙｎｃと、液晶パネル１００における各画素の階調レベルをそれぞれ規定する信号が含まれている。駆動制御回路２００は、供給される映像信号に含まれる同期信号Ｓｙｎｃから制御信号Ｘｃｔｒや制御信号Ｙｃｔｒなどの各種制御信号を生成する。駆動制御回路２００は、制御信号Ｘｃｔｒをデータ線駆動回路１４０へ供給し、制御信号Ｙｃｔｒを走査線駆動回路１３０へ供給する。また、駆動制御回路２００は、供給される映像信号に含まれている各画素の階調レベルからデータ信号Ｖｘを生成し、生成したデータ信号Ｖｘをデータ線駆動回路１４０へ供給する。
【００２６】
なお、液晶パネル１００ＷＢの構成は、液晶パネル１００と異なる。具体的には、液晶パネル１００ＷＢは、画素が複数行複数列で並んでいるが、走査線１１２とデータ線１１４の配置が異なり、複数行の上半分の画素を最大の透過率とすると共に、複数行の下半分の画素を最小の透過率とした第１状態と、複数行の上半分の画素を最小の透過率とすると共に、複数行の下半分の画素を最大の透過率とした第２状態と、全画素を最大の透過率とした第３状態と、全画素を最小の透過率とした第４状態のいずれかになる。図６に示したように、液晶パネル１００ＷＢに対しては、液晶パネル１００ＷＢを制御する駆動制御回路２００ＷＢが設けられている。駆動制御回路２００ＷＢは、映像取得部１６から供給される同期信号Ｓｙｎｃに応じて液晶パネル１００ＷＢを駆動する駆動回路である。駆動制御回路２００ＷＢは、上述した第１状態から第４状態のいずれかとなるように、液晶パネル１００ＷＢを制御する。
なお、駆動制御回路２００、駆動制御回路２００ＷＢ、液晶パネル１００、液晶パネル１００ＷＢは、映像を表示する表示装置の一例である。
【００２７】
（第１実施形態の動作例）
次に、第１実施形態に係る表示システム１で立体映像を観察するときの動作例について説明する。まず、左眼用映像の映像信号が表示装置１０に供給されると、駆動制御回路２００は、制御信号Ｙｃｔｒを走査線駆動回路１３０へ供給する。また、駆動制御回路２００は、制御信号Ｘｃｔｒと、左眼用映像を投射するためのデータ信号Ｖｘとをデータ線駆動回路１４０へ供給する。これにより、液晶パネル１００に左眼用映像の書き込みが行われる。
【００２８】
図７の（ａ）は、液晶パネル１００の走査線１１２の１〜ｍ行を縦軸にとり、時間を横軸としたときに、走査信号Ｇ１〜Ｇｍによって選択される走査線の時間的推移を示している。なお、選択される走査線１１２の時間的推移は、簡略的に表記するため、図７の（ａ）においては右下がりの実線で示している。各走査線１１２に係る画素の駆動は、走査線１１２の選択時になされるため、表示領域１０１の各行の画素１１０において、データ信号Ｖｘに対応した映像を表示する期間は、図７の（ａ）に示したように、行毎に異なることとなる。なお、本実施形態においては、１フレームの走査期間は１／６０秒であり、左眼用映像の走査期間（第１フィールド）と、右眼用映像の走査期間（第２フィールド）は、それぞれ１／１２０秒となっている。
時点ｔ１からの左眼用映像の液晶パネル１００への書き込みが終了すると（時点ｔ３）、次に供給される右眼用映像の映像信号に基いて、駆動制御回路２００が液晶パネル１００を制御する。すると、図７の（ａ）に示したように、時点ｔ３から右眼用映像の書き込みが開始され、時点ｔ５で右眼用映像の書き込みが終了する。左眼用映像の映像信号と右眼用映像の映像信号は交互に表示装置１０に供給されるため、駆動制御回路２００と液晶パネル１００の動作は、左眼用映像の映像信号と右眼用映像の映像信号が供給される毎に上記の動作となる。
【００２９】
次に液晶パネル１００ＷＢの動作について説明する。表示装置１０に左眼用映像の映像信号が供給されると、駆動制御回路２００ＷＢには、映像信号に含まれている同期信号Ｓｙｎｃが供給される。駆動制御回路２００ＷＢは、この同期信号Ｓｙｎｃに含まれている垂直同期信号に基いて、時点ｔ１（時点ｔ５）において液晶パネル１００ＷＢの上半分の画素を最小の透過率とし、下半分の画素を最大の透過率とする。駆動制御回路２００ＷＢは、液晶パネル１００においてｍ／２行目の走査線１１２の選択が終了した時点ｔ２（時点ｔ６）、即ち、左眼用映像の上半分の液晶パネル１００への書き込みが終了した時点となると、液晶パネル１００ＷＢの上半分の画素を最大の透過率とし、下半分の画素を最小の透過率とする。
また、表示装置１０に右眼用映像の映像信号が供給されると、駆動制御回路２００ＷＢには、映像信号に含まれている同期信号Ｓｙｎｃが供給される。駆動制御回路２００ＷＢは、この同期信号Ｓｙｎｃに含まれている垂直同期信号に基いて、時点ｔ３において液晶パネル１００ＷＢの上半分の画素を最小の透過率とし、下半分の画素を最大の透過率とする。駆動制御回路２００ＷＢは、液晶パネル１００においてｍ／２行目の走査線１１２の選択が終了した時点ｔ４、即ち、右眼用映像の上半分の液晶パネル１００への書き込みが終了した時点となると、液晶パネル１００ＷＢの上半分の画素を最大の透過率とし、下半分の画素を最小の透過率とする。
【００３０】
図７の（ｂ）は、液晶パネル１００ＷＢの表示領域の縦方向を縦軸にとり、時間を横軸としたときの表示領域の光の透過の時間的推移を示している。駆動制御回路２００ＷＢが上述した動作を行うと、図７の（ｂ）に示したように、時点ｔ１から時点ｔ２までと、時点ｔ３から時点ｔ４までと、時点ｔ５から時点ｔ６までの期間においては、液晶パネル１００ＷＢは、上半分の画素が非透過状態となり、下半分の画素が透過状態となる。また、時点ｔ２から時点ｔ３までと、時点ｔ４から時点ｔ５までと時点ｔ６から時点ｔ７までの期間においては、液晶パネル１００ＷＢは、上半分の画素が透過状態となり、下半分の画素が非透過状態となる。
【００３１】
図７の（ｄ）は、スクリーンＳＣに投射される映像の縦方向を縦軸にとり、時間を横軸としたときの、スクリーンＳＣに投射される映像の時間的推移を示している。
時点ｔ１から時点ｔ２までの期間においては、液晶パネル１００の表示領域の上半分に対して左眼用映像の書き込みが行われているが、液晶パネル１００ＷＢの上半分の画素が非透過状態となり下半分の画素が透過状態となるため、図７の（ｄ）に示したように、スクリーンＳＣの上半分は映像が表示されず、下半分には書き込み済みの右眼用映像が表示される。
時点ｔ２から時点ｔ３までの期間においては、液晶パネル１００の表示領域の下半分に対して左眼用映像の書き込みが行われているが、液晶パネル１００ＷＢの上半分の画素が透過状態となり下半分の画素が非透過状態となるため、スクリーンＳＣの上半分には書き込み済みの左眼用映像が表示され、下半分に書き込み中の左眼用映像は表示されない。
時点ｔ３から時点ｔ４までの期間においては、液晶パネル１００の表示領域の上半分に対して右眼用映像の書き込みが行われているが、液晶パネル１００ＷＢの上半分の画素が非透過状態となり下半分の画素が透過状態となるため、スクリーンＳＣの上半分は映像が表示されず、下半分には書き込み済みの左眼用映像が表示される。
時点ｔ４から時点ｔ５までの期間においては、液晶パネル１００の表示領域の下半分に対して右眼用映像の書き込みが行われているが、液晶パネル１００ＷＢの上半分の画素が透過状態となり下半分の画素が非透過状態となるため、スクリーンＳＣの上半分には書き込み済みの右左眼用映像が表示され、下半分に書き込み中の右眼用映像は表示されない。
時点ｔ５から時点ｔ６までの期間においては、液晶パネル１００の表示領域の上半分に対して左眼用映像の書き込みが行われているが、液晶パネル１００ＷＢの上半分の画素が非透過状態となり下半分の画素が透過状態となるため、スクリーンＳＣの上半分は映像が表示されず、下半分には書き込み済みの右眼用映像が表示される。
【００３２】
つまり、表示装置１０に対して左眼用の映像信号と右眼用の映像信号とが交互に供給されると、スクリーンＳＣに投射される映像の上半分は、黒→左眼用映像→黒→右眼用映像→黒→左眼用映像→・・・という表示を繰り返す。また、スクリーンＳＣに投射される映像の下半分は、右眼用映像→黒→左眼用映像→黒→右眼用映像→・・・という繰り返しとなる。
【００３３】
次に、眼鏡２０の動作について説明する。図７の（ｃ）は、時間を横軸としたときに、左眼用の液晶シャッターと右眼用の液晶シャッターの開閉のタイミングを示した図である。図７の（ｃ）に示したように、左眼用の液晶シャッターは、左眼用映像の上半分の書き込みが終了した時点（時点ｔ２，ｔ６）から開となり、右眼用映像の上半分の書き込みが終了した時点（時点ｔ４）から閉となる。また、図７の（ｃ）に示したように、右眼用の液晶シャッターは、右眼用映像の上半分の書き込みが終了した時点（時点ｔ４）から開となり、左眼用映像の上半分の書き込みが終了した時点（時点ｔ２，ｔ６）から閉となる。
【００３４】
ここで、図７の（ｄ）に示したように、時点ｔ２から時点ｔ４までの期間においては、スクリーンＳＣには左眼用映像の上半分の次に下半分が表示されるため、左眼用の液晶シャッターが開となっている期間に右眼用映像が視認されることがない。また、図７の（ｄ）に示したように、時点ｔ４から時点ｔ６までの期間においては、スクリーンＳＣには右眼用映像の上半分の次に下半分が表示されるため、右眼用の液晶シャッターが開となっている期間に左眼用映像が視認されることがない。
【００３５】
［第２実施形態］
次に本発明の第２実施形態について説明する。図８は、第２実施形態に係る表示装置１０の投射部１７の構成を示したブロック図である。この図に示されるように、第２実施形態に係る投射部１７は、備えている液晶パネルが第１実施形態と異なる。本実施形態に係る投射部１７は、液晶パネル１００ＷＢを備えず、液晶パネル１００ＲＡ，１００ＧＡ，１００ＢＡを備えている。なお、以下の説明においては、第１実施形態と同じ構成については、同じ符号を付してその説明を省略する。
【００３６】
液晶パネル１００ＲＡ、液晶パネル１００ＧＡ及び液晶パネル１００ＢＡは、入射した光を変調する透過型の液晶パネルであり、複数行複数列に配置された画素を備えている。液晶パネル１００ＲＡは、液晶パネル１００Ｒとミラー１２０４との間に配置されている。また、液晶パネル１００ＧＡは、液晶パネル１００Ｇとダイクロイックミラー１２０３との間に配置されており、液晶パネル１００ＢＡは、液晶パネル１００Ｂとミラー１２０６との間に配置されている。
液晶パネル１００Ｒの複数の画素と液晶パネル１００ＲＡの複数の画素は、それぞれの位置が対応しており、例えば、液晶パネル１００ＲＡのｍ行ｎ列の画素１１０を透過した光は、液晶パネル１００Ｒのｍ行ｎ列の画素に到達する。なお、液晶パネル１００Ｂと液晶パネル１００ＢＡの組及び液晶パネル１００Ｇと液晶パネル１００ＧＡの組においても、複数の画素は、それぞれの位置が対応している。
【００３７】
液晶パネル１００ＲＡ、液晶パネル１００ＧＡ及び液晶パネル１００ＢＡのそれぞれについても、駆動制御回路２００が設けられている。以下、説明の便宜上、液晶パネル１００ＲＡ、液晶パネル１００ＧＡ及び液晶パネル１００ＢＡの各々に設けられた駆動制御回路を駆動制御回路２００Ａと称する。また、液晶パネル１００ＲＡ、液晶パネル１００ＧＡ及び液晶パネル１００ＢＡのそれぞれについて、各々を区別する必要のない場合は、液晶パネル１００Ａと称する。
液晶パネル１００ＲＡに対応した駆動制御回路２００Ａには、赤色の映像を表す映像信号が供給される。この駆動制御回路２００Ａは、赤色の映像を表す映像信号に応じて液晶パネル１００ＲＡを制御し、液晶パネル１００ＲＡの各画素の透過率を制御する。また、液晶パネル１００ＧＡに対応した駆動制御回路２００Ａには、緑色の映像を表す映像信号が供給される。この駆動制御回路２００Ａは、緑色の映像を表す映像信号に応じて液晶パネル１００ＧＡを制御し、液晶パネル１００ＧＡの各画素の透過率を制御する。また、液晶パネル１００ＢＡに対応した駆動制御回路２００Ａには、青色の映像を表す映像信号が供給される。この駆動制御回路２００Ａは、青色の映像を表す映像信号に応じて液晶パネル１００ＢＡを制御し、液晶パネル１００ＢＡの各画素の透過率を制御する。
【００３８】
なお、駆動制御回路２００Ａは、対応する液晶パネル１００Ａを制御する動作が駆動制御回路２００と異なる。具体的には、駆動制御回路２００Ａは、一本の奇数行の走査線１１２と、この走査線１１２に隣合う一本の偶数行の走査線１１２とを組とし、各組が順番に選択されるように、液晶パネル１００Ａに係る走査線駆動回路１３０を制御する。これにより、走査線１１２の選択は、１行目と２行目、３行目と４行目、…、ｍ−１行目とｍ行目というように２本同時に行われる。つまり、液晶パネル１００Ａの走査期間は、液晶パネル１００の半分の期間となる。
【００３９】
また、駆動制御回路２００Ａは、液晶パネル１００Ａに書き込む映像が駆動制御回路２００と異なる。具体的には、駆動制御回路２００Ａは、映像信号が供給されると、まず、走査線が２本づつ同時に選択されるように液晶パネル１００Ａを制御し、液晶パネル１００Ａの全画素の透過率を最小とする。
次に、駆動制御回路２００Ａは、走査線の一つの組を選択するときに、当該組の奇数行の走査線に係る画素の階調を示すデータ信号Ｖｘをデータ線駆動回路１４０へ供給する。上述したように、液晶パネル１００Ａにおいては、隣合う１本の奇数行の走査線と１本の偶数行の走査線が同時に選択されるため、選択された走査線に係る画素のうち、同じ列の画素は同じ透過率となる。つまり、液晶パネル１００Ａに書き込まれた映像の解像度は、液晶パネル１００に書き込まれた映像の解像度の半分となる。
【００４０】
（第２実施形態の動作例）
次に、第２実施形態に係る表示システム１で立体映像を観察するときの動作例について説明する。図９の（ａ）は、第２実施形態に係る液晶パネル１００の走査線１１２の１〜ｍ行を縦軸にとり、時間を横軸としたときに、走査信号Ｇ１〜Ｇｍによって選択される走査線の時間的推移を示している。まず、液晶パネル１００については、その動作は第１実施形態と同じである。このため、図９の（ａ）に示したように、左眼用映像と右眼用映像が液晶パネル１００に交互に書き込まれる。
【００４１】
次に図９の（ｂ）は、液晶パネル１００Ａの走査線１１２の１〜ｍ行を縦軸にとり、時間を横軸としたときに選択される走査線の時間的推移を示している。まず、駆動制御回路２００Ａに左眼用映像の映像信号が供給されると、上述したように、液晶パネル１００Ａにおいては、走査線１１２は２本づつ選択されていき、全画素の透過率が最小となる。駆動制御回路２００Ａは、全画素の透過率を最小とした後、左眼用映像を液晶パネル１００Ａに書き込む。なお、液晶パネル１００Ａにおいては、選択された奇数行の次の偶数行の画素においては、選択された奇数行の映像と同じ映像が書き込まれるため、液晶パネル１００Ａに書き込まれる映像の解像度は、液晶パネル１００に書き込まれた左眼用映像の解像度の半分となる。
次に駆動制御回路２００Ａに右眼用映像の映像信号が供給されると、液晶パネル１００Ａにおいては、走査線１１２は２本づつ選択されていき、全画素の透過率が最小となる。駆動制御回路２００Ａは、全画素の透過率を最小にした後、右眼用映像を液晶パネル１００Ａに書き込む。ここでも、選択された奇数行の次の偶数行の画素においては、選択された奇数行の映像と同じ映像が書き込まれるため、液晶パネル１００Ａに書き込まれる映像の解像度は、液晶パネル１００に書き込まれた右眼用映像の解像度の半分となる。
【００４２】
図９の（ｄ）は、スクリーンＳＣに投射される映像の縦方向を縦軸にとり、時間を横軸としたときの、スクリーンＳＣに投射される映像の時間的推移を示している。
左眼用映像の映像信号が駆動制御回路２００と駆動制御回路２００Ａに供給された時点ｔ１から時点ｔ２までの期間においては、液晶パネル１００Ａの透過率が１行目から順次最小にされていくため、液晶パネル１００Ａの全ての走査線の選択が終了した時点ｔ２においては、液晶パネル１００に光源１２０１からの光が到達せず、図９の（ｄ）に示したように、スクリーンＳＣの表示は黒の表示となる。また、時点ｔ２から時点ｔ３までの期間においては、液晶パネル１００Ａに対して解像度を半分とした左眼用映像の書き込みが行われる。ここで、液晶パネル１００と液晶パネル１００Ａには左眼用映像が書き込まれているため、全ての走査線の選択が終了した時点ｔ３においては、スクリーンＳＣには左眼用映像が表示される。
次に、右眼用映像の映像信号が駆動制御回路２００と駆動制御回路２００Ａに供給された時点ｔ３から時点ｔ４までの期間においては、液晶パネル１００Ａの透過率が１行目から順次最小にされていくため、液晶パネル１００Ａの全ての走査線の選択が終了した時点ｔ４においては、液晶パネル１００に光源１２０１からの光が到達せず、図９の（ｄ）に示したように、スクリーンＳＣの表示は黒となる。また、時点ｔ４から時点ｔ５までの期間においては、液晶パネル１００Ａに対して解像度を半分とした右眼用映像の書き込みが行われる。ここで、液晶パネル１００と液晶パネル１００Ａには右眼用映像が書き込まれているため、全ての走査線の選択が終了した時点ｔ５においては、スクリーンＳＣには右眼用映像が表示される。
次の左眼用映像の映像信号が駆動制御回路２００と駆動制御回路２００Ａに供給された時点ｔ５から時点ｔ６までの期間においては、液晶パネル１００Ａの透過率が１行目から順次最小にされていき、液晶パネル１００Ａの全ての走査線の選択が終了した時点ｔ６においては、液晶パネル１００に光源１２０１からの光が到達せず、図９の（ｄ）に示したように、スクリーンＳＣの表示は黒となる。
【００４３】
このように、表示装置１０に対して左眼用の映像信号と右眼用の映像信号とが交互に供給されると、スクリーンＳＣに投射される映像は、黒→左眼用映像→黒→右眼用映像→黒→左眼用映像→・・・という繰り返しとなる。
【００４４】
次に、眼鏡２０の動作について説明する。図９の（ｃ）は、時間を横軸としたときに、左眼用の液晶シャッターと右眼用の液晶シャッターの開閉のタイミングを示した図である。図９の（ｃ）に示したように、左眼用の液晶シャッターは、液晶パネル１００Ａにおいて左眼用映像の書き込みが開始された時点（時点ｔ２，ｔ６）から開となり、液晶パネル１００Ａにおいて右眼用映像の書き込みが開始される時点（時点ｔ４）から閉となる。また、図９の（ｃ）に示したように、右眼用の液晶シャッターは、液晶パネル１００Ａにおいて右眼用映像の書き込みが開始された時点（時点ｔ４）から開となり、液晶パネル１００Ａにおいて左眼用映像の書き込みが開始される時点（時点ｔ２，ｔ６）から閉となる。
【００４５】
ここで、図９の（ｄ）に示したように、左眼用映像が表示されている期間（時点ｔ２から時点ｔ４までの期間）においては、スクリーンＳＣには左眼用映像が表示されるため、左眼用の液晶シャッターが開となっている期間に右眼用映像が視認されることがない。また、図９の（ｄ）に示したように、右眼用映像が表示されている期間（時点ｔ４から時点ｔ６までの期間）においては、スクリーンＳＣには右眼用映像が表示されるため、右眼用の液晶シャッターが開となっている期間に左眼用映像が視認されることがない。
【００４６】
［変形例］
以上、本発明の実施形態について説明したが、本発明は上述した実施形態に限定されることなく、他の様々な形態で実施可能である。例えば、上述の実施形態を以下のように変形して本発明を実施してもよい。なお、上述した実施形態及び以下の変形例は、各々を組み合わせてもよい。
【００４７】
上述した実施形態においては、第１フィールドで液晶パネル１００に左眼用映像を書き込み、第２フィールドで液晶パネル１００に右眼用映像を書き込んでいるが、第１フィールドで液晶パネル１００に右眼用映像を書き込み、第２フィールドで液晶パネル１００に左眼用映像を書き込むようにしてもよい。なお、この構成においては、時点ｔ２から時点ｔ４までの期間においては、左眼用シャッターを閉とする一方、右眼用シャッターを開とし、時点ｔ４から時点ｔ６までの期間においては、左眼用シャッターを開とする一方、右眼用シャッターを閉とする。
【００４８】
上述した第１実施形態においては、光源１２０１とダイクロイックミラー１２０２との間に液晶パネル１００ＷＢが配置されているが、ダイクロイックプリズム１２０７と投射レンズ１２０８との間に液晶パネル１００ＷＢを配置する構成としてもよい。なお、ダイクロイックプリズム１２０７と投射レンズ１２０８との間に液晶パネル１００ＷＢを配置する構成においては、右眼用映像の輝度を表す輝度信号と、左眼用映像の輝度を表す輝度信号に応じて、液晶パネル１００ＷＢを駆動するようにしてもよい。
また、液晶パネル１００ＷＢを光源１２０１とダイクロイックミラー１２０２との間に配置するのではなく、液晶パネル１００とダイクロイックプリズム１２０７との間に配置するようにしてもよい。
また、液晶パネル１００ＷＢを光源１２０１とダイクロイックミラー１２０２との間に配置するのではなく、液晶パネル１００Ｒとミラー１２０４との間、液晶パネル１００Ｇとダイクロイックミラー１２０３との間、及び液晶パネル１００Ｂとミラー１２０６との間に配置するようにしてもよい。
【００４９】
上述した第１実施形態においては、液晶パネル１００において左眼用映像（右眼用映像）の書き込みが開始されてから終了するまでの期間において（時点ｔ１から時点ｔ２までの期間）、液晶パネル１００ＷＢでは走査線１１２を２本づつ選択して全画素の透過率を最小とした後、走査線１１２を２本づつ選択して全画素の透過率を最大とするようにしてもよい。
また、第２実施形態においては、左眼用映像（右眼用映像）の書き込みが開始されてから終了するまでの期間において、液晶パネル１００Ａでは走査線１１２を２本づつ選択して全画素の透過率を最小とした後、走査線１１２を２本づつ選択して全画素の透過率を最大とするようにしてもよい。
【００５０】
上述した第２実施形態においては、液晶パネル１００Ａにおいて奇数行と偶数行とを選択するときに奇数行の映像を偶数行に書き込んでいるが、偶数行の映像を奇数行に書き込むようにしてもよい。
【００５１】
上述した実施形態においては、液晶パネル１００，１００Ａ、１００ＷＢを備える装置は、所謂プロジェクターであるが、液晶パネル１００，１００Ａ、１００ＷＢを備えて映像を表示する装置は、プロジェクターに限定されるものではない。例えば、電子機器の一例である液晶テレビなどの直視型の装置において、映像を形成する液晶パネルを液晶パネル１００とし、バックライトと映像を形成する液晶パネルとの間に液晶パネル１００ＷＢ又は液晶パネル１００Ａを配置する構成や、映像を形成する液晶パネルから見てバックライトと反対側に液晶パネル１００ＷＢ又は液晶パネル１００Ａを配置する構成としてもよい。
【００５２】
上述した実施形態においては、液晶パネル１００，１００Ａ，１００ＷＢは、透過型の液晶パネルであったが、この構成に限定されるものではない。図１０は、本変形例に係る表示装置１０の投射部１７の構成を示した図である。図１０の構成にあっては、液晶パネル１００Ｒ，１００Ｇ、１００Ｂは、反射型の液晶パネル（第１変調部）であり、液晶パネル１００ＲＡ，１００ＧＡ、１００ＢＡは、透過型の液晶パネル（第２変調部）である。光源１２１１は、黄色光を出射し、光源１２１２は、青色波長帯域の光を出射する。ダイクロイックミラー１２１３は、赤色波長帯域の光を透過し、緑色波長帯域の光を反射する鏡である。ハーフミラー１２１４〜１２１６は、一方の面から入射した光を透過し、他方の面から入射した光を反射する鏡である。
【００５３】
光源１２１２から出射された青色波長帯域の光は、ハーフミラー１２１６を透過した後、液晶パネル１００Ｂに入射する。液晶パネル１００Ｂで反射した光は、ハーフミラー１２１６で反射して液晶パネル１００ＢＡへ入射する。また、光源１２１２から出射された光は、ダイクロイックミラー１２１３へ入射する。ダイクロイックミラー１２１３に入射した光のうち、赤色波長帯域の光は透過し、緑色波長帯域の光は反射されてハーフミラー１２１５へ入射する。ダイクロイックミラー１２１３を透過した赤色波長帯域の光は、ハーフミラー１２１４を透過した後、液晶パネル１００Ｒに入射する。液晶パネル１００Ｒで反射した光は、ハーフミラー１２１４で反射して液晶パネル１００ＲＡへ入射する。また、ダイクロイックミラー１２１３で反射された緑色波長帯域の光は、ハーフミラー１２１５を透過した後、液晶パネル１００Ｇに入射する。液晶パネル１００Ｇで反射した光は、ハーフミラー１２１５で反射して液晶パネル１００ＧＡへ入射する。
なお、図１０に示した構成にあっては、液晶パネル１００と液晶パネル１００Ａの位置を入れ替え、液晶パネル１００Ａを反射型の液晶パネル（第２変調部）とし、液晶パネル１００を透過型の液晶パネル（第１変調部）としてもよい。
【００５４】
上述した実施形態においては、光を変調するのは液晶パネル１００や液晶パネル１００Ａであったが、光を変調するものは、液晶パネルに限定されるものではなく、例えば、ＤＭＤ（Digital Mirror Device）としてもよい。図１１は、光を変調するものとしてＤＭＤを使用した投射部１７の構成を示した図である。
カラーホイール１２２０は、赤、青、緑のフィルターを一体にした円盤である。光源１２０１から出射した光は、回転するカラーホイールを通過し、赤色波長帯域、緑色波長帯域又は青色波長帯域の光となる。カラーホイール１２２０を透過した光は、ハーフミラー１２２１を透過し、デジタルミラーデバイスＤＭＤ１に到達する。デジタルミラーデバイスＤＭＤ１で反射した光は、ハーフミラー１２２１で反射してハーフミラー１２２２を透過し、デジタルミラーデバイスＤＭＤ２に到達する。デジタルミラーデバイスＤＭＤ１で反射した光は、ハーフミラー１２２２で反射して投射レンズ１２０８に入射する。
【００５５】
図１１に示した構成にあっては、デジタルミラーデバイスＤＭＤ１とデジタルミラーデバイスＤＭＤ２の一方を液晶パネル１００（第１変調部）と同様の動作とし、他方を液晶パネル１００Ａ（第２変調部）と同様の動作とすれば、スクリーンＳＣに投射される映像を、図７の（ｄ）又は図９の（ｄ）と同様の映像とすることができる。
【符号の説明】
【００５６】
１…表示システム、１０…表示装置、１２…制御部、１５…通信部、１６…映像取得部、１７…投射部、１００，１００Ａ，１００Ｒ，１００Ｇ，１００Ｂ，１００ＲＡ，１００ＧＡ，１００ＢＡ，１００ＷＢ…液晶パネル、１０１…表示領域、１０５…液晶、１１０…画素、１１２…走査線、１１４…データ線、１２０…液晶素子、１３０…走査線駆動回路、１４０…データ線駆動回路、２００，２００Ａ，２００ＷＢ…駆動制御回路、１２０１…光源、１２０２，１２０３…ダイクロイックミラー、１２０４，１２０５，１２０６…ミラー、１２０７…ダイクロイックプリズム、１２０８…投射レンズ、１２１１，１２１２…光源、１２１３…ダイクロイックミラー、１２１４，１２１５，１２１６…ハーフミラー、１２２０…カラーホイール、１２２１，１２２２…ハーフミラー、ＤＭＤ１，ＤＭＤ２…デジタルミラーデバイス
【図１】
2015038559.tif 000003
【図２】
2015038559.tif 000004
【図３】
2015038559.tif 000005
【図４】
2015038559.tif 000006
【図５】
2015038559.tif 000007
【図６】
2015038559.tif 000008
【図７】
2015038559.tif 000009
【図８】
2015038559.tif 000010
【図９】
2015038559.tif 000011
【図１０】
2015038559.tif 000012
【図１１】
2015038559.tif 000013